(57)【要約】【課題】点灯回路を取り付けた取付体をケース体に電気的接続を損なうことなく容易に収納でき、かつコスト低減が図れる防水用の点灯装置および照明器具を提供する。【解決手段】点灯装置１は、筒状のケース体２と、基板部７およびこの基板部７の両側部から立ち上げられた一対の側板部８，８を有し、ケース体２に収納された取付体３と、基板部７に取り付けられた点灯回路４と、側板部８，８の一端側８ａ，８ａに側板部８，８から外方に突出するように設けられ、取付体３がケース体２に収納されたときに取付体３の内面に摺接する凸部５，５とを具備している。【選択図】図１
2009245810.tif 000002
【特許請求の範囲】
【請求項１】
筒状のケース体と；
基板部およびこの基板部の両側部から立ち上げられた一対の側板部を有し、ケース体に収納された取付体と；
前記基板部に取り付けられた点灯回路と；
前記一対の側板部の長手方向の一端側に側板部からそれぞれ外方に突出するように設けられ、取付体がケース体に収納されるときにケース体の内面に摺接する一対の凸部と；
を具備していることを特徴とする点灯装置。
【請求項２】
取付体は、一対の側板部の長手方向の他端側に側板部からそれぞれ外方に突出するように設けられ、取付体がケース体に収納されているときにケース体の内面に接触または近接する一対の突部を具備していることを特徴とする請求項１記載の点灯装置。
【請求項３】
請求項１または２記載の点灯装置と；
この点灯装置により点灯される放電ランプと；
点灯装置および放電ランプを配設している器具本体と；
を具備していることを特徴とする照明器具。
【発明の詳細な説明】
【技術分野】
【０００１】
本発明は、防水形の点灯装置およびこの点灯装置を配設している照明器具に関する。
【背景技術】
【０００２】
例えば、屋外設置用の照明器具においては、点灯装置等の電気部品を雨水等から保護するために、その点灯装置等の電気部品を防水構造の収納ケースに収納して器具本体に取り付けている。しかし、収納ケースは、密閉されているので、収納ケースの外部から点灯装置を接地させることができない。
【０００３】
このため、点灯装置と収納ケースを電気的に接続させることが行われている。例えば、点灯回路を取り付けてケース体（収納ケース）に収納する取付体の側板部に、ケース体の内面に圧接する圧接部が突設された点灯装置が提案されている(特許文献１参照。)。この従来技術の点灯装置は、取付体をケース体へ圧入するのみで、ケース体が導電材の表面を絶縁性の被覆で覆って構成されている場合でも、爪状に突設した圧接部で絶縁性の皮膜を剥いで導電材に直接的に接触させ、取付体をケース体に圧接して電気的に接続することができるというものである。
【特許文献１】特開２００５−９３２９６号公報（第４−６頁、第４図）
【発明の開示】
【発明が解決しようとする課題】
【０００４】
特許文献１の点灯装置は、圧接部が側板部の長手方向に沿う端面側であって長手方向の両端側にそれぞれ設けられている。そして、圧接部がケース体の上板部の内面に形成されている皮膜を剥ぎながら、取付体がケース体に圧入される。この圧入時、圧接部や側板部が変形しないようにするためには、例えば取付体の板厚を大きくする必要がある。また、側板部は、ケース体の上面部側まで延在しているので、大きい面積を有している。近年、中国やインドなどの新興国の高い経済成長に伴って資源価格が急騰しており、取付体の板厚や側板部の面積が大きく取付体の使用量が大きいと、コスト上昇となるという問題がある。
【０００５】
また、圧接部は、取付体をケース体に挿入したときからケース体の内面に強固に接触し、取付体がケース体に完全に収納されるまで強固に接触し続けながら移動するので、取付体をケース体に圧入するに際して相当な圧入力を有するという欠点を有する。また、取付体をケース体にスムーズに収納するために、圧接部と取付体の内面との接触強度を弱めると、取付体とケース体の電気的接続が不安定になるおそれがある。
【０００６】
本発明は、点灯回路を取り付けた取付体をケース体に電気的接続を損なうことなく容易に収納でき、かつコスト低減が図れる防水用の点灯装置および照明器具を提供することを目的とする。
【課題を解決するための手段】
【０００７】
請求項１に記載の点灯装置の発明は、筒状のケース体と；基板部およびこの基板部の両側部から立ち上げられた一対の側板部を有し、ケース体に収納された取付体と；前記基板部に取り付けられた点灯回路と；前記一対の側板部の長手方向の一端側に側板部からそれぞれ外方に突出するように設けられ、取付体がケース体に収納されるときに取付体の内面に摺接する一対の凸部と；を具備していることを特徴とする。
本発明および以下の各発明において、特に言及しない限り、各構成は以下による。
【０００８】
ケース本体は、点灯回路を取り付けた取付体が収納可能な大きさの略四角筒、略五角筒および略六角筒などの筒状に形成される。そして、ケース本体の両端の端面は、端板により閉塞される。このとき、ケース本体の両端面と端板との間にパッキングを介在させることにより、ケース本体の両端面と端板の間から水が浸入するのを防止できる。
取付体は、側板部の長手方向の他端側からケース体に挿入され、ケース体の内部を移動して収納される。
「摺接」とは、ケース本体の表面に形成されたアルマイトや皮膜などの絶縁物を剥いで、凸部がケース本体の導電部と電気的に接続されていることを意味する。
【０００９】
凸部は、導電体により形成され、取付体と電気的に接続されている。凸部が対となって設けられることにより、取付体のケース体への挿入方向と直交する方向の移動が規制され、凸部がケース体の内面に効果的に摺接する。
【００１０】
本発明によれば、取付体がケース体に収納されるときに、一対の凸部がケース体の内面間に圧入されてケース体の内面に摺接し、取付体とケース体が電気的に接続される。
【００１１】
請求項２に記載の点灯装置の発明は、請求項１記載の点灯装置において、取付体は、一対の側板部の長手方向の他端側に側板部からそれぞれ外方に突出するように設けられ、取付体がケース体に収納されているときにケース体の内面に接触または近接する一対の突部を具備していることを特徴とする。
取付体は、通常、固定されずに、ケース体に収納される。一対の突部は、ケース体の内面に接触することにより、取付体のケース体の内部での移動を規制する。
【００１２】
本発明によれば、一対の突部は、取付体の内面に接触することにより、側板部の長手方向の他端側における取付体の移動を規制するので、側板部の長手方向の一端側に設けられた一対の凸部とともに取付体を安定的にケース体に収納させ、これにより、一対の凸部とケース体との電気的接続が安定化される。
請求項３に記載の照明器具の発明は、請求項１または２記載の点灯装置と；この点灯装置により点灯される放電ランプと；点灯装置および放電ランプを配設している器具本体と；を具備していることを特徴とする。
本発明によれば、請求項１または２記載の点灯装置の作用、効果を有する防水形の照明器具が提供される。
【発明の効果】
【００１３】
請求項１の発明によれば、取付体の他端側からケース体に収納され、取付体の一端側に設けた一対の凸部がケース体に圧入されることにより取付体とケース体が電気的に接続されるので、取付体をケース体に比較的容易に収納することができるとともに、取付体の側板部の高さ寸法を小さくすることが可能であるので、点灯装置の省資源および低コスト化を図ることができる。
【００１４】
請求項２の発明によれば、取付体の一対の側板部の長手方向の他端側に設けられた一対の突部が側板部の長手方向の他端側における取付体の移動を規制するので、側板部の長手方向の一端側が移動しにくく、一対の凸部とケース体との電気的接続を安定的に維持することができる。
【００１５】
請求項３の発明によれば、請求項１または２記載の点灯装置を具備するので、点灯装置の点灯回路が器具本体を介して接地できる防水形の照明器具を提供することができる。
【発明を実施するための最良の形態】
【００１６】
以下、本発明の一実施の形態について、図面を参照して説明する。まず、本発明の第１の実施形態について説明する。
図１は、本発明の第１の実施形態を示す点灯装置の概略一部斜視図、図２は、同じく点灯装置の概略断面図である。
【００１７】
点灯装置１は、ケース体２、取付体３、点灯回路４および一対の凸部５，５を有して構成されている。点灯回路４は、略コ字状に形成された取付体３に取り付けられ、取付体３は、筒状のケース体２に収納されている。そして、取付体３に設けられた一対の凸部５，５がケース体２の内面の表面を削り取ってケース体２に電気的に接続している。これにより、ケース体２が接地されることにより、点灯回路４の接地端子を接地させることができるものである。
【００１８】
ケース体２は、例えばアルミニウム（Ａｌ）からなり、断面が略五角形の筒体に形成されている。そして、ケース体２の両端２ａの端面には、図示しない端板をねじ止めするための複数のねじ溝６が形成され、表面（内面および外面）には、絶縁物であるアルマイトが形成されている。
【００１９】
取付体３は、例えば１枚のアルミニウム（Ａｌ）板を折り曲げて形成している。すなわち、取付体３は、長方形状の基板部７、この基板部７の両側部から基板部７とほぼ直角となるように立ち上げられた長方形状の一対の側板部８，８に形成されている。
【００２０】
点灯回路４は、例えば蛍光ランプを点灯させるものであり、図２に示すように、回路基板９に電気部品が実装されて構成されている。そして、回路基板９および電気部品は、金属製の箱体１０に収納されている。箱体１０は、密閉されている。箱体１０は、図１に示すように、コ字状に形成された金属製の取付ケース１１に取り付けられている。取付ケース１１の両端側には、取付孔１２が設けられており、取付ケース１１は、取付孔１２に挿通された図示しないねじにより、取付体３の基板部７に取り付けられている。こうして、点灯回路４は、取付体３の基板部７に取り付けられている。そして、点灯回路４の接地端子は、箱体１０および取付ケース１１を介して取付体３に電気的に接続されている。そして、点灯回路４を取り付けた取付体３は、ケース体２に収納されている。
【００２１】
一対の凸部５，５は、取付体３の一対の側板部８，８の長手方向の一端側８ａ，８ａに、側板部８，８から外方に突出するように設けられたものである。すなわち、凸部５，５は、側板部８，８に、その一端から長手方向に切り込みされ、この切り込みの終端からさらに基板部７の方向に切り込みされ、側板部８，８と直交するように外側に折り曲げられて形成された切り起しによる略長方形状に形成されている。
【００２２】
そして、凸部５，５は、取付体３をケース体２に収納するときにケース体２の内面に摺接する大きさに形成されている。すなわち、凸部５，５は、ケース体２の内面に当接し、取付体３のケース体２への挿入の進行に伴ってケース体２の内面のアルマイトを削り取りながらケース体２の内部に挿入される。
【００２３】
また、取付体３の一対の側板部８，８の長手方向の他端側には、側板部８，８から外方に突出する一対の突部１３，１３が設けられている(図２に示す)。突部１３，１３は、側板部８，８の他端側において、凸部５，５と同様にして形成されているが、取付体３がケース体２に収納されているときにケース体２の内面に接触または近接する大きさに形成されている。これにより、突部１３，１３は、取付体３をケース体２に収納するときに、ケース体２の内面のアルマイトをほとんど削り取らないで、ケース体２の内部に挿入される。
【００２４】
取付体３をケース体２に収納した後、パッキングを介して端板をケース体２の両側の端面のねじ溝６にねじ止めする。こうして、防水形の点灯装置１が形成される。そして、点灯装置１は、図２に示すように、照明器具のシャーシ１４にねじにより固定される。
次に、本発明の第１の実施形態の作用について述べる。
【００２５】
取付体３は、一対の側板部８，８の長手方向の他端側からケース体２に挿入される。側板部８，８の他端側に形成されている一対の突部１３，１３は、ケース体２の内面に接触または近接する大きさに形成されているので、挿入時、ケース体２の内面に当接しにくい。したがって、取付体３は、側板部８，８の長手方向の一端側８ａ，８ａまで、ケース体２に容易に挿入される。
【００２６】
そして、一対の凸部５，５がケース体２の内面に当接したときに、取付体３を強く圧入する。これにより、一対の凸部５，５がケース体２の内面のアルマイト(絶縁物)を剥ぎ取るようにケース体２の内面に摺接し、ケース体２の導電部と電気的に接続される。箱体１０に収容されている点灯回路４の接地端子は、ケース体２に電気的に接続される。そして、取付体３は、ケース体２に固定されることなく収納される。
【００２７】
上述したように、取付体３をケース体２に収納するときに、一対の突部１３，１３がケース体２の内面に当接しにくく、一対の凸部５，５がケース体２の内面に当接するときに取付体３を強く圧入することにより、取付体３とケース体２とを電気的に接続することができるので、取付体３をケース体２に比較的容易に収納することができる。
【００２８】
そして、一対の突部１３，１３は、取付体３がケース体２に収納されているときに、ケース体２の内面に接触することにより、取付体３の側板部８，８の長手方向の他端側における取付体３の移動を規制するので、側板部８，８の長手方向の一端側を移動しにくくすることができ、一対の凸部５，５とケース体２との電気的接続を安定的に維持することができる。
【００２９】
そして、取付体３は、箱体１０および取付ケース１１を取り付けて、ケース体２の内面に近接してケース体２に収納される強度を有すればよく、ケース体２に収納するときの圧入力も比較的小さいので、その板厚を小さくすることができ、また、一対の凸部５，５および一対の突部１３，１３が側板部８，８の基板部７側に設けられているので、側板部８，８の立ち上がり寸法(高さ寸法)を小さくすることができる。すなわち、取付体３の使用量を少なくすることができるので、省資源を図ることができ、点灯装置１の低コスト化を図ることができる。
【００３０】
なお、取付体３をケース体２に収納しているときに、取付体３とケース体２の内面との隙間が小さく、取付体３のケース体２の移動が微動であるときには、一対の突部１３，１３を設けなく一対の凸部５，５のみでも、上述とほぼ同様の作用、効果が得られる。
【００３１】
また、一対の凸部５，５は、側板部８，８の切り起しにより形成しているが、別の部材を側板部８，８に取り付けるようにしてもよい。一対の突部１３，１３に対しても同様である。
次に、本発明の第２の実施形態について述べる。
図３は、本発明の第２の実施形態を示す照明器具の概略斜視図である。なお、図１と同一部分には、同一符号を付して説明は省略する。
【００３２】
照明器具１４は、屋外の玄関等に設置される防犯灯であり、略枠状の器具本体１５の両端に一対のランプソケット１６，１６が設けられている。そして、ランプソケット１６，１６に放電ランプとしての直管形蛍光ランプ１７を装着している。また、器具本体１５は、蛍光ランプ１７と対向して断面略皿状の反射板１８を取り付けている。反射板１８の表面は、反射面１８ａに形成されている。
【００３３】
また、器具本体１５は、反射板１８の内側で、図１に示す点灯装置１をねじにより固定している。器具本体１５は、金属製であり、ねじにより点灯装置１のケース体２と電気的に接続している。そして、点灯装置１が給電されることにより、蛍光ランプ１７が点灯する。
照明器具１４は、器具本体１５を接地することにより、点灯装置１の点灯回路４の接地端子を接地させることができる。
【図面の簡単な説明】
【００３４】
【図１】本発明の第１の実施形態を示す点灯装置の概略一部斜視図。
【図２】同じく、点灯装置の概略断面図。
【図３】本発明の第２の実施形態を示す照明器具の概略斜視図。
【符号の説明】
【００３５】
１…点灯装置
２…ケース体
３…取付体
４…凸部
７…基板部
８…側板部
１４…照明器具
１５…器具本体
１７…放電ランプとしての蛍光ランプ
【図１】
2009245810.tif 000003
【図２】
2009245810.tif 000004
【図３】
2009245810.tif 000005